(57)【要約】      （修正有）【課題】  本発明は、靴ベラと、靴内を殺菌、消臭、芳香等のスプレーを各用途に応じて使い分けスプレーした後靴ベラの滑り案内部を使い靴を履く道具である。【解決の手段】  靴ベラに内蔵されたノズル部４とスプレー缶カバー２と、それに蓋の部分３からなり、滑り案内部１と握り部２，３をネジにより固定させスプレー缶８を入れて蓋をし、その時に安全面から内側にネジ切りしたリング成形物と、外側のコップ状成形物を回して止める形態である。使用する時は、トリガー５又はプッシュボタンを押して噴霧液をスプレーして靴を清浄にし、その後靴ベラの滑り案内部１を使い靴を履くことができます。スプレー缶８の廻りは被覆カバーする。又スプレー保持部にスプレー缶８を取り付け、該スプレー缶８を握り部２，３に兼用した事により小型化でき携帯用としても使える。【選択図】図２
2006314755.tif 000002
【特許請求の範囲】
【請求項１】
先端側に靴ベラの滑り案内部を設け、基端側にスプレー保持部を設けた靴ベラにおいて、該滑り案内部の中心に該スプレー保持部から靴ベラの先端に開口する案内筒部を内蔵し、前記スプレー保持部の中空筒体に靴内を清浄する噴霧剤を封入したスプレー缶を装着すると共に該スプレー缶の噴出作動バルブを操作する操作部材を設け、該操作部材を操作することにより噴霧剤を靴ベラの先端より噴霧させ、靴内の消臭、芳香、殺菌、清掃等、行うことを特徴とする噴霧スプレーを内蔵した靴ベラ。
【請求項２】
スプレー保持部を中空筒体で形成される握り部に形成し、該握り部の中空筒体にスプレー缶を収納することを特徴とする請求項１記載の噴霧スプレーを内蔵した靴ベラ。
【請求項３】
案内筒部を先端がノズルの外径を支える支持部の大きさとし、基部側に至るほど大径となるラッパ状に形成したことを特徴とする請求項１〜２記載の噴霧スプレーを内蔵した靴ベラ。
【請求項４】
操作トリガーの操作に応じて案内筒部内をノズルが動く事を特徴とする請求項１〜３記載の噴霧スプレーを内蔵した靴ベラ。
【請求項５】
操作部材をスプレー缶の噴出作動バルブをプッシュして操作するプッシュ部材、又はレバーを押して液を噴射するレバー部材で構成した事を特徴とする請求項１〜４記載の噴霧スプレーを内蔵した靴ベラ。
【請求項６】
握り部の中空筒体に靴内を清浄する噴霧剤を封入したスプレー缶を収納すると共に該スプレー缶を、押圧バネを介して中空筒体に蓋で封入したことを特徴とする請求項１〜５記載の噴霧スプレーを内蔵した靴ベラ。
【請求項７】
靴ベラの滑り案内部の表面と裏面の間の中央又は中央付近にスプレー缶から噴き出す液の通る孔をあけた筒部材を通し、該筒部材を滑り案内部の表面と裏面で挟み形成して、スプレー缶収納部にスプレー缶を入れ、靴ベラの基部にある操作部材の操作により液を噴射させる事を特徴とする請求項１〜６記載の噴霧スプレーを内蔵した靴ベラ。
【請求項８】
スプレー保持部にスプレー缶を取り付け、該スプレー缶を握り部に兼用した事を特徴とする請求項１記載の噴霧スプレーを内蔵した靴ベラ。
【発明の詳細な説明】
【技術分野】
【０００１】
本発明は滑り案内部付き靴ベラの表面と裏面の間に筒状の管を内蔵させ、該靴ベラの握り部分にスプレーを配設して、靴ベラ先端部よりノズルによりエア、殺菌、消臭、芳香剤を噴射させることにより靴内を清潔にして、その後この本発明に係わる滑り案内部を用いて靴を履く噴霧スプレーを内蔵した靴ベラに関するものである。
【背景技術】
【０００２】
従来、靴ベラの多機能利用方法として、例えば、特許文献１に示される靴ベラのように、靴ベラと櫛を兼用した靴ベラが知られている。しかし消臭スプレー等を内蔵した靴ベラは見当たらない。
【特許文献１】特開平８−８９３３１号公報
【発明の開示】
【発明が解決しようとする課題】
【０００３】
靴ベラの多機能利用方法として、消臭スプレー等を内蔵した靴ベラがあると便利に思うがそのようなものがなく下記の解決課題があった。
【０００４】
本発明は、従来靴ベラにはこの方法は無く必要に応じて靴ベラと靴内の掃除、除菌等を別々に行うため二度手間であった、朝とか忙しい時に素早く靴内の消臭、芳香、殺菌、掃除などの目的で靴内をスプレーし、靴ベラの滑り案内部を使い靴を履く道具とした。
【課題を解決するための手段】
【０００５】
本発明は前述の課題解決のために実験を重ねた結果、靴ベラと消臭、殺菌芳香剤の一体化を考えた時にスプレーが一番適していたことに着目して次の手段を創案するに至った。
【０００６】
本発明は、第一に、先端側に靴ベラの滑り案内部を設け、基端側にスプレー保持部を設けた靴ベラにおいて、該滑り案内部の中心に該スプレー保持部から靴ベラの先端に開口する案内筒部を内蔵し、前記スプレー保持部の中空筒体に靴内を清浄する噴霧剤を封入したスプレー缶を装着すると共に該スプレー缶の噴出作動バルブを操作する操作部材を設けることにより、該操作部材を操作することにより噴霧剤を靴ベラの先端より噴霧させ、靴内の消臭、芳香、殺菌、清掃等、を行うことができる。
【０００７】
第二に、スプレー保持部を中空筒体で形成される握り部に形成し、該握り部の中空筒体にスプレー缶を収納することを特徴とし、市販のスプレー缶を使用することができる。このように、靴ベラの表面と裏面の間にノズルを内蔵させ、該靴ベラの先端をデザインに定めた形状に形成し、基部には操作部所を設けそこにノズルの接続部、スプレー缶接続部、スプレー噴霧操作をするトリガー部を作り、中空筒体の握り部と蓋部をネジ等の接続部で接続させ、該操作部材を操作することにより噴霧剤を靴ベラの先端より噴霧させ、靴内の消臭、芳香、殺菌、清掃等、を行うことができる。
【０００８】
第三に、案内筒部を先端がノズルの外径を支える支持部の大きさとし、基部側に至るほど大径となるラッパ状に形成したことを特徴とし、ノズルの差し込みを容易にし、ノズルの支持を確実にする。ノズルの内径は小さい方が良い、靴自体が小さく噴霧液の量を多く必要としない又靴の中へは靴ベラの腹の方を下に入れる、これはこの方がスムースに奥まで入るからである。靴内をスプレーしたら靴ベラの方を使って靴を履くととてもスムースに履ける。
【０００９】
第四に、操作トリガーの操作に応じて案内筒部内をノズルが動く事を特徴とし、これは靴ベラ内にラッパ状の外枠（案内筒部）を形成し中にノズルを入れトリガーにてノズルを出し入れする仕組みで、これだと故障しにくい。スイッチとしては、この他にレバー式とプッシュ式がある。このようにすると、市販スプレーのノズルが作動するものも使用できるので便利である。
【００１０】
第五に、操作部材をスプレー缶の噴出作動バルブをプッシュして操作するプッシュ部材、又はレバーを押して液を噴射するレバー部材で構成した事を特徴とし、スプレー缶の噴出作動を円滑にする。
【００１１】
第六に、握り部の中空筒体に靴内を清浄する噴霧剤を封入したスプレー缶を収納すると共に該スプレー缶を、押圧バネを介して中空筒体に蓋で封入したことを特徴とし、スプレー缶の支持の固定を確実にする。すなわち、靴ベラ部、握り部、蓋部と分け再度組み合わせるのに、まず靴ベラ部と握り部をネジにて固定しスプレー缶を入れる。そしてネジ付きの蓋を回して止める。内側にスプリングが入っているのでスプレー缶は動かない。その次にトリガーを引くと靴ベラ先端から噴霧状の液が出る、好みに応じて消臭、芳香、殺菌、掃除と種類を選んで使用する。
【００１２】
第七に、靴ベラの滑り案内部の表面と裏面の間の中央又は中央付近にスプレー缶から噴き出す液の通る孔をあけた筒部材を通し、該筒部材を滑り案内部の表面と裏面で挟み形成して、スプレー缶収納部にスプレー缶を入れ、靴ベラの基部にある操作部材の操作により液を噴射させる事を特徴とした事にある。
【００１３】
第八に、スプレー保持部にスプレー缶を取り付け、該スプレー缶を握り部に兼用した事を特徴とし、靴ベラ部を直接スプレー缶に取り付けるのでコンパクトにすることで携帯用にもなるし、ネジをはずして２つにしておけば場所も取らない。このようにして構成の簡素化を図るものである。
【発明の効果】
【００１４】
請求項１の発明によれば、必要時にタイミングよく確実に靴の中を自分の好みに合ったスプレー（消臭、芳香、殺菌、掃除）で噴霧し靴を履く事を目的に、滑り案内部にノズルを内蔵させ、靴ベラの握り部にスプレー缶を配設して靴ベラの基部にスプレーを噴出する作動バルブを操作する操作部材を設け、操作部材を操作する事により噴霧剤を靴ベラの先端より噴霧させ靴内の消臭、芳香、殺菌、清掃等、自分好みの一品のスプレー缶を入れ行う為、忙しい時の必需品である。また装飾台に乗せれば玄関等のインテリアにもなる。
【００１５】
請求項２の発明によればスプレー保持部を中空筒体で形成される握り部に形成し該握り部の中空筒体にスプレー缶を収納する事を特徴とし、握り部を靴ベラを持ちたいようなデザインにすれば気持ちよく靴が履ける。
【００１６】
請求項３〜請求項４の発明によれば靴ベラ部のスプレー収納ノズルを前後に動かして噴霧する様に外側に先端がノズル外径と同じになる、ラッパ型ノズル挿入部を操作部材まで靴ベラ先端部から付ける。これは構造が簡単で故障が少ない所が特徴である。
【００１７】
請求項５の発明によれば操作部の操作方法が容易である。両方共上から押すと噴霧スプレーを噴射するように出来ている。
【００１８】
請求項６の発明によれば握り部の中空筒体にスプレー缶を入れ板バネを介して中空筒体に蓋で封入しスプレー缶を動かなくすると共に、ネジを回して外せばスプレー缶の取り替えも簡単に出来る。
【００１９】
請求項７の発明によれば靴ベラの滑り案内部の表面と裏面の間の中央又は中央付近にスプレー缶から噴き出す液の通る孔をあけた筒体を通し該筒部材を滑り案内部の表面と裏面で挟み形成してスプレー缶収納部にスプレー缶を入れ靴ベラの基部にある操作部材を操作して液を噴射させる。今迄に無かった物なので単なる実用品だけでなく楽しさ、便利さ等使用効果が得られる。
【００２０】
請求項８の発明によれば、スプレー保持部にスプレー缶を直接取り付け、該スプレー缶を握り部に兼用した場合小型化が可能になり持ち運びも便利になり携帯用にもなる。
【発明を実施するための最良の形態】
【００２１】
以下、本発明の実施形態を図面に基づいて詳細に説明する。
図１〜図４に示すように、金属、合成樹脂、木材などの材質からなる滑り案内部１をもつ靴ベラ１、１Aにノズル４を組み込み形成した先端部を構成する。そして、これから説明する基部には液の噴射装置を付けるためトリガー５が入る孔（空間スペース）を設け、ノズル４とスプレー噴射口が液漏れしないようジョイント３２にコイル状ノズル２７をトリガー５を通し止める。トリガー５を自在止具２８で揺動自在に止め、基部にスプレー缶固定具２５を付けトリガー５作動復元用のスプリング７を付ける。基部と握り部２は平滑状態を保つため内側と外側にネジ（ジョイント部１６）を切り、又握り部２と蓋部３にも平滑状態を保つため内側と外側にネジ（ジョイント部１５）を切り形成した成形物を回して止める形態である。蓋部３を廻して取りはずし、スプレー缶８を入れてから再度、蓋を廻して止める。この時、コイルスプリングからなるスプレー缶固定具６はスプレー缶が動かない様に強力なバネを用いる。使用方法として、トリガー５を引けばスプレー缶８内の液がコイル状ノズル２７、ノズル４を介して噴射され噴霧状の液体が出る。スプレー缶８が空になれば蓋部３を外してスプレー缶８を取り出し、入れ替えが容易に行える。
【００２２】
図５〜図７に示すように、靴ベラ１、１Aの先端部と握り部は、上記図１〜図４に示すものと同様の実施形態を有するものであるが、靴ベラ基部はノズル４が直接スプレー缶８の噴射口に付く仕様である。靴ベラ基部にレバー20を取り付ける下地（ノズル取り付け用の基台部）を作る。レバー20を上に上げる復元用スプリング７を取り付ける下地を作る。スプレー噴射操作棒２２の孔をあけ噴射操作棒２２、シール２１、固定ピン２３、蝶番２４、噴射レバー２０、スプリング７を組込む。靴ベラ基部に図５の様にネジ１９を切り、スプレー缶の方もネジ１９を切り、固定した靴ベラ基部のノズルカバー１８に、中央にネジ１９の通る孔をあけたスプレー缶固定具２５を通して、握り部よりスプレー缶８を入れ回して止める形態である。液が漏れない様にゴムシール３１を付ける。蓋部３を付け噴射レバー２０を押すと靴ベラの先端より噴霧状の液が出る。これを靴内にて噴射し取り出して靴ベラを使い靴を履く。
【００２３】
図８〜図１２に示すように、上記図１〜図４にて説明の握り部２、３と基部トリガー５の操作は同じですが、靴ベラ滑り案内部１のノズル４にラッパ状の外筒１４を設け中をノズル４がトリガー５の動きに合わせて前後する仕組みです。このものには、図１２のスプレー缶８とノズル４一体化スプレー缶を使います。構造が簡単な為壊れにくい。
【００２４】
図１６〜図１７に示すように、スプレー缶８に直接靴ベラ３を取り付けた構造です。スプレー缶噴射口の外側にネジ１９を切り、靴ベラ基部にもネジ１９を切り回して止めます。この時スプレー缶８の噴射口とネジを締めた時に液漏れさせない為ゴムシール３１を使います。又スプレー缶８の外径と靴ベラ基部の外径が同じになる様にします。後の構造は図５〜図７と同じです。
【実施例】
【００２５】
図１〜図１５に示した本考案の一実施例の構成、作用を示す。
同図において、金属、合成樹脂、木材等の材質で成形された靴ベラの外形であり、図１〜図４は靴ベラの滑り案内部の表面１と裏面１４の間に中央又は中央付近にスプレー缶から噴き出す液の通る孔(ノズル)４を形成しスプレー缶収納部にスプレー缶８を入れ、靴ベラの元部近くにあるトリガー５を引き液を噴射させる、その時、靴ベラの孔は靴ベラと一体な為トリガー近くあるコイル状のノズル２７でトリガーを引いた時のあだ（遊隙）の調整が出来る事を特徴とした装置。
【００２６】
図８〜図１１はラッパ型の案内筒部１４を内蔵成形した靴ベラ１とネジ止めにしている握り部(本体スプレー缶収納部)２を一体としスプレー缶８を挿し込む。その時トリガー５に係合するあだ（遊隙）を作りスプレーの液漏れを防ぐロングノズル４の付いたスプレー缶８を握り部(本体蓋部分)３で安全面から周囲を平滑状態に保つため、内側にネジ切り成形したリング成形物と外側の蓋部成形物３を回して止める形態である。
図１２〜１３は本発明の他の実施例に関するプッシュ型靴ベラの説明である。
金属、合成樹脂、木材で成形されたノズル内蔵の靴ベラ１と握り部(本体スプレー缶収納部)２をネジにて一体化し、スプレー缶８を握り部(本体蓋部分)２、３を安全面から周囲を平滑状態に保つため、内側にネジ切り成形したリング成形物と外側の蓋部成形物３を回して止める形態である。
【００２７】
図５〜図７は靴ベラの滑り案内部の表面１と裏面１４の間に、中央又は中央付近にスプレー缶から吹き出す液の通る孔(ノズル)４をあけ、スプレー缶収納部２にスプレー缶８を入れてセットした後、靴ベラの元部近くにあるレバー２０を押して液を噴射させる。靴内を好みの種類、消臭、殺菌、芳香、掃除等を行うスプレー缶内蔵部分。握り部は、前００１１、００１２と同じ形態である。又、靴ベラ部と握り部のネジを締めた時にノズルカバー１８とスプレー口がはまり合い液漏れがしなくなる。ミニタイプも同等な方法で作る。又、サイズを大きくしてスプレー缶を長くすれば量が多くなりエアの掃除が幅広い用途で出来る。
【００２８】
本発明は、上記の実施例構成により靴ベラの作用とスプレー剤の噴霧作用が一緒にできて便利に使用できる利点があり、靴ベラに内蔵されたノズル部４とスプレー缶カバー２それに蓋の部分からなり、滑り案内部と握り部をネジにより固定させスプレー缶８を入れて蓋をし、その時に安全面から内側にネジ切りしたリング成形物と外側の蓋部成形物３を回して止める形態である。使用する時はトリガー又はプッシュボタンを押して噴霧液をスプレーして靴を清浄にし、その後靴ベラの滑り案内部を使い靴を履くことができます。スプレー缶８の廻りは被覆カバーする。さらに、スプレー剤が使用済みとなったときにもスプレー缶８の新しいものの交換が容易にできるものである。
【００２９】
図１６〜図１７に示すものは、スプレー缶保持部２３にスプレー缶８を取り付け、該スプレー缶８を握り部２、３に兼用した靴ベラ、２つにすると持ち運びが便利である。
【産業上の利用可能性】
【００３０】
本発明は靴ベラの数を一つではなく、二つ三つと用途に応じてスプレーの中身を消臭、芳香、除菌等替えておけばそれぞれの使い分けが出来る。
尚、請求項１〜７はいずれもスプレー缶を内蔵し(消臭、芳香、殺菌、水虫の除菌、掃除)いずれかの種類のスプレーを使い分けてスプレーと靴ベラの案内部を一体化した道具であり、これを応用して、噴射ノズルの先端を一ヶ所だけでなく複数に増やすことで、靴ベラだけでなく家の室内外での用途が広まるものでもある。また家での玄関だけでなくホテル、旅館等広く利用可能性がある。
【００３１】
又スプレー保持部にスプレー缶を取り付け、該スプレー缶を握り部に兼用した請求項８の噴霧スプレー缶付き靴ベラは、二つに分離する事で持ち運びが便利になり又小型にする事が出来携帯用として便利である。
【図面の簡単な説明】
【００３２】
【図１】靴ベラ本体腹部平面図である
【図２】靴ベラ本体の側面図である
【図３】靴ベラ本体の側面図（プッシュ型）である
【図４】靴ベラ先端部正面図である
【図５】靴ベラ本体側面図である
【図６】靴ベラ本体の正面図である
【図７】靴ベラ先端正面図である
【図８】靴ベラ本体腹部平面図である
【図９】靴ベラ本体側面図である
【図１０】靴ベラ先端部正面図である
【図１１】靴ベラ先端部側面詳細図である
【図１２】ラッパ状の筒用スプレー缶平面図である
【図１３】プッシュ型靴ベラ側面図である
【図１４】プッシュ型靴ベラ先端部正面図である
【図１５】本体スプレー缶取り付け部正面図である
【図１６】噴射装置付靴ベラ背部平面図である
【図１７】噴射装置付靴ベラ側面図である
【符号の説明】
【００３３】
１  靴ベラ滑り案内部
１A靴ベラ滑り案内部裏面
２  握り部(本体スプレー缶収納部)
３  握り部(本体蓋部分)
４  ロングノズル
５  トリガー
６  スプレー缶固定具
７  スプリング
８  スプレー缶
９  スプレー缶脱着部
１０  本体とスプレー缶脱着部
１１  ロングノズル固定部
１２  プッシュ型固定部
１３  ノズル誘導部
１４  ラッパ型ノズル挿入部
１５  本体ジョイント部
１６  靴ベラ部と握り部のジョイント部
１７  靴ベラ滑り案内部内側
１８  ノズルカバー
１９  ネジ部
２０  噴射レバー
２１  シール
２２  スプレー噴射棒
２３  固定ピン
２４  蝶番
２５  スプレー缶固定具
２６  スプリング止め
２７  コイル状ノズル部
２８  自在止め具
２９  復点部
３０  板バネ
３１  ゴムシール
３２  ジョイント
【図１】
2006314755.tif 000003
【図２】
2006314755.tif 000004
【図３】
2006314755.tif 000005
【図４】
2006314755.tif 000006
【図５】
2006314755.tif 000007
【図６】
2006314755.tif 000008
【図７】
2006314755.tif 000009
【図８】
2006314755.tif 000010
【図９】
2006314755.tif 000011
【図１０】
2006314755.tif 000012
【図１１】
2006314755.tif 000013
【図１２】
2006314755.tif 000014
【図１３】
2006314755.tif 000015
【図１４】
2006314755.tif 000016
【図１５】
2006314755.tif 000017
【図１６】
2006314755.tif 000018
【図１７】
2006314755.tif 000019